(57)【要約】【課題】ヘッドレストステーに脱着する際に、ヘッドレストをシートバックから取外すことなく行え、前部座席のシートバック背面中央にモニタを位置させることにより、後部座席の左右一方に座っていても、首を傾けることなくモニタを見ることができるようにした。【解決手段】水平アーム２に挿通された一対のアーム取付台３は、水平アーム２の長手方向に沿って摺動固定自在に挿通された取付ブロック８と、取付ブロック８の前部側に着脱可能に設けられるとともに、車の座席上部のヘッドレストステーＳを、取付ブロック８の前面側に前方から挿入して狭持する狭持ブロック１１とを有している。【選択図】      図４
0003128621.tif 000002
【実用新案登録請求の範囲】
【請求項１】
水平アーム（２）と、水平アーム（２）に設けた一対のアーム取付台（３，３）と、水平アーム（２）の一端より入れ子式に伸縮可能に挿通された可動アーム（４）と、水平アーム（２）の一端外周に固定されて、可動アーム（４）を適宜な突出長さ位置に固定するためのクランプブロック（５）と、可動アーム（４）の先端に着脱可能に装着されたモニタ取付台（６）とを備えた車載用モニタ取付装置において、
前記アーム取付台（３）は、前記水平アーム（２）の長手方向に沿って摺動固定自在に挿通された取付ブロック（８）と、取付ブロック（８）の前部側に着脱可能に設けられるとともに、車の座席上部のヘッドレストステー（Ｓ）を、取付ブロック（８）の前面側に前方から挿入して狭持する狭持ブロック（１１）と、取付ブロック（８）と狭持ブロック（１１）とを着脱自在に固定する固定具（Ｂ）とを具備することを特徴とする車載用モニタの取付装置。
【請求項２】
前記取付ブロック（８）と狭持ブロック（１１）とは、その側部に設けたヒンジ軸（１０）を介して前後方向に回動自在に結合されていることを特徴とする請求項１に記載の車載用モニタの取付装置。
【請求項３】
前記モニタ取付台（６）は、前記水平アーム（２）の外形に応じた凹溝を有する取付ベース本体（１２ａ）と、前記取付ベース本体（１２ａ）に嵌合されて凹溝を前記可動アーム（４）の外形に適合させるためのスペーサ（２０，２１）と、前記凹溝の開放面に取付けられる底板（２２）と、底板（２２）および可動アーム（４）の先端部において、その上下を貫通して形成された固定孔を貫通して、その先端を取付ベース本体（１２ａ）に固定される１ないし複数の固定具（Ｂ）を備える一方、前記水平アーム（２）の中央にもその上下を貫通する孔（２ａ）を形成してなり、
前記モニタ取付台（６）を水平アーム（２）に取付ける際には、前記スペーサ（２０，２１）を取除いた状態で、取付ベース本体（１２ａ）のみを水平アーム（２）に嵌合し、底板（２２）および水平アーム（２）に形成された孔を貫通する１ないし複数の固定具（Ｂ）により取付ベース本体（１２ａ）に固定することを特徴とする請求項１又は２記載の車載用モニタの取付装置。
【請求項４】
前記可動アーム（４）の中央には、前記水平アーム（２）に最大に没入させた状態で水平アーム（２）に形成された前記孔（２ａ）に合致する孔を形成し、前記モニタ取付台（６）を水平アーム（２）に取付ける際に、前記固定具（Ｂ）を可動アーム（４）及び水平アーム（２）の孔に貫通させて取付けるようにしたことを特徴とする請求項３記載の車載用モニタの取付装置。
【考案の詳細な説明】
【技術分野】
【０００１】
本考案は、液晶ＴＶなど、主として自動車の後部座席に座る人のために配置されるモニタの取付装置において、特にモニタの取付位置の自由度を増した車載用モニタの取付装置に関するものである。
【背景技術】
【０００２】
小形液晶ＴＶなど、主に自動車の後部座席に座る人のために後付される車載用モニタの取付装置の一つに、下記特許文献１に示す取付装置が開示されている。この技術では、フロントシートのシートバック上に配備された一対のヘッドレストステーを取付用の足がかりとして、このヘッドレストステーに挿通される一対のアーム取付台と、この挿通方向に直交して上記シートバックの背部に突出する上記アーム取付台の部分に挿通するとともに、横方向に伸縮可能な水平アームと、水平アームの端部に固定されたチルト式のモニタ取付台とを備え、このモニタ取付台の取付ブロックにモニタを固定することによって、モニタを水平移動、かつ所望傾動角度調整可能に取付けるようにしている。
【特許文献１】特開２００３−３１３８６１号公報
【考案の開示】
【考案が解決しようとする課題】
【０００３】
しかしながら、前記モニタ取付台は、ヘッドレストステーに対する挿通孔を上記水平アームに直交して上下に貫通して形成したものであるため、モニタ取付装置の固定作業は、ヘッドレストステーをシートバックから取外し、モニタ取付台の固定部をステーに挿通した後、再びヘッドレストをシートバックにセットしなければならなかった。
【０００４】
この種ヘッドレストステーは、シートバックフレームに溶接により固定されたステー支持パイプに挿通される構造となっており、一旦ヘッドレストをシートバックから取外した場合には、若干嵌め込み寸法が異なる場合があるため、再挿入作業が面倒となるおそれがあった。
【０００５】
また、ヘッドレストをシートバックから取り外すには、少なくともヘッドレストステーを上方に完全に引き抜くに十分な空間が必要であり、特に、屋根の低いセダンタイプ、クーペタイプ等の自動車においては、ヘッドレスト上部空間も狭いため、モニタ取付具装着の作業がしずらく、作業性が悪く、狭い空間での取り付け作業を強いられる等作業者への負担が大きいという問題がある。
【０００６】
また、前記従来のモニタ取付装置にあっては、モニタを上記水平アームの端部に固定するようになっているため、取付状態ではモニタの位置は運転席と助手席の背面におけるほぼ中間位置に位置することになる。このように、前記従来のモニタ取付台を運転席又は助手席のいずれかに取り付けた場合、モニタ設置位置は、運転席と助手席の間にのみモニタを固定する構造であることにより、モニタ設置位置の自由度に制限があるという問題がある。
【０００７】
また、ワンボックスタイプの自動車では、前席から後席へ移動できるタイプのものがあり、上述したように、モニタが座席中央に設置した場合、その移動が不自由になるという問題がある。
【０００８】
一方、普通乗用車の後部座席は、運転席側と助手席側およびその中央の三座がセットされている。このため、後部座席の中間位置に座った状態でモニタを見る場合には、モニタに相対することができるが、通常は、運転席側か助手席側のいずれか一方に座る場合が多く、特に幼児の場合には、その安全上運転席または助手席側の一方にチャイルドシートを介して拘束されているのが一般的である。
【０００９】
従って、いずれかの位置でモニタを見る場合には、モニタを見る人側に向けて傾け、また見る人もモニター側に首を傾けなければならない。なお、特に液晶ＴＶの場合には、見る角度によっては画像の鮮明度が低下するため、画面に対し直角に相対することが必要であることは言うまでもなく、このように首を傾けて長時間モニタを見た場合には疲労などの問題を生ずる。
【００１０】
本考案は以上の課題を解決するものであり、その目的とするところは、ヘッドレストステーに脱着する際に、ヘッドレストをシートバックから取外すことなく行え、作業性が良く、また必要に応じて後部座席のシートバック背面中央にモニタを位置させることにより、座席の前後の移動に支障がなく、さらに、後部座席の運転席側、または助手席側に座っていても、首を傾けることなくモニタを見ることができるようにした車載用モニタの取付装置を提供するものである。
【課題を解決するための手段】
【００１１】
前記目的を達成するため、本考案は、水平アーム２と、水平アーム２に設けた一対のアーム取付台３，３と、水平アーム２の一端より入れ子式に伸縮可能に挿通された可動アーム４と、水平アーム２の一端外周に固定されて、可動アーム４を適宜な突出長さ位置に固定するためのクランプブロック５と、可動アーム４の先端に着脱可能に装着されたモニタ取付台６とを備えた車載用モニタ取付装置において、前記アーム取付台３は、前記水平アーム２の長手方向に沿って摺動固定自在に挿通された取付ブロック８と、取付ブロック８の前部側に着脱可能に設けられるとともに、車の座席上部のヘッドレストステーＳを、取付ブロック８の前面側に前方から挿入して狭持する狭持ブロック１１と、取付ブロック（８）と狭持ブロック（１１）とを着脱自在に固定する固定具（Ｂ）とを具備することを特徴としている。
【００１２】
前記取付ブロック８と狭持ブロック１１とは、その側部に設けたヒンジ軸１０を介して前後方向に回動自在に結合されていることが望ましい。
【００１３】
また、本考案では、前記モニタ取付台６は、前記水平アーム２の外形に応じた凹溝を有する取付ベース本体１２ａと、前記取付ベース本体１２ａに嵌合されて凹溝を可動アーム４の外形に適合させるためのスペーサ２０，２１と、前記凹溝の開放面に取付けられる底板２２と、底板２２および前記可動アーム４の先端部において、その上下を貫通して形成された固定孔を貫通して、その先端を取付ベース本体１２ａに固定される１ないし複数の固定具Ｂを備える一方、前記水平アーム２の中央にもその上下を貫通する孔２ａを形成してなり、前記モニタ取付台６を水平アーム２に取付ける際には、前記スペーサ２０，２１を取除いた状態で、取付ベース本体１２ａのみを水平アーム２に嵌合し、底板２２および水平アーム２に形成された孔を貫通する１ないし複数の固定具Ｂにより取付ベース本体１２ａに固定することを特徴としている。
【００１４】
前記可動アーム４の中央には、前記水平アーム２に最大に没入させた状態で水平アーム２に形成された前記孔２ａに合致する孔を形成し、前記モニタ取付台６を水平アーム２に取付ける際に、前記固定具Ｂを可動アーム４及び水平アーム２の孔に貫通させて取付けるようにすることが望ましい。
【考案の効果】
【００１５】
従って、本考案では、モニタの取付装置をヘッドレストステーに取り付ける際には、アーム取付台３の狭持ブロック１１を前方に開いて座席上部にあるヘッドレストステーＳに後方から差し込み、その後取付ブロック８に対して狭持ブロック１１を閉じて固定具Ｂにより固定すれば良い。このように、本考案では、モニタ取付装置の取付時に、わざわざヘッドレストをシートバックから取外すことがないため、ヘッドレストの再装着作業の手間が省略できる。
【００１６】
前記一対のアーム取付台３、３を水平アーム２から取外し前後方向を１８０度回転させた状態で再度水平アーム２に組み付けることにより、モニタ取付台３の取り付け位置を変えることが可能となり、運転席側ないし助手席側のいずれかのヘッドレストを選択してモニタを取り付けることができる。運転席或いは助手席背面のリクライニングなど調整の頻度が低い座席にモニタを取り付けるのに好適である。モニタは、あまり動かさない座席側に取り付けることが望ましい。
【００１７】
また、本考案では、上記の作用・効果に加え、共通のモニタ取付台により、モニタを前部座席中央部の直後、すなわち、一対のヘッドレストステーの中間部に位置させることもでき、後部座席の左右いずれかに座ってモニタを見る上で好都合である。
【００１８】
モニタを座席ヘッドレストの中央部に設置可能としたことにより、前席・後席間の移動に支障が生じない。
【００１９】
さらに、ヘッドレスト後部略中央部にモニタを設置することができることから、運転席・助手席の一列目座席のヘッドレスト後部それぞれにモニタを装着することが可能となり、２列目以降の座席にも同様にそれぞれの座席にモニタを装着することが可能である。同乗者は、自席の前に位置するモニタに他モニタと異なる映像（ナビゲーション画面やテレビ画像或いはＤＶＤ画像等）を映し出して見る事も可能となる。
【００２０】
さらに、本考案では、モニタを可動アームの端部のみならず水平アームの中間部に取り付けることができ、モニタを水平アームの中間部に取り付けた時における可動アームの不要時における格納場所を水平アーム内に確保でき、邪魔になることがない。
【考案を実施するための最良の形態】
【００２１】
以下、本考案の最良の実施形態につき、添付図面を参照して説明する。図１〜図８は本考案のモニタ取付装置およびその取付状態を示している。
【００２２】
各図のうち、図３はモニタ取付装置単体の組立状態を示すものであり、取付装置１は、角形の中空管からなる水平アーム２と、水平アーム２に摺動可能に挿通された一対のアーム取付台３と、水平アーム２の一端より入れ子式に伸縮可能に挿通された可動アーム４と、水平アーム１の一端外周に固定されて、前記可動アーム４を適宜な突出長さ位置に固定するためのクランプブロック５と、可動アーム４の先端に着脱可能に装着されたモニタ取付台６と、前記水平アーム２の他端に嵌合固定されたエンドキャップ７、および可動アーム４の先端に嵌合固定される後述のエンドキャップ２３とから概略構成されている。
【００２３】
前記各アーム取付台３は、図５に一部を拡大して示すように、水平アーム２に沿ってその外周に摺動可能に挿通され、かつ背面にねじ込まれるビスよりなる固定具Ｂの締め付け操作により水平アーム２の適宜位置に固定される略矩形状の取付ブロック８と、取付ブロック８の後部一側部に一体化されたヒンジ受け９にピンよりなるヒンジ軸１０を介して旋回可能に取付けられ、かつ取付ブロックの８の後端部に一対の固定具Ｂを介して固定される狭持ブロック１１とからなるものである。ヘッドレストステーＳの軸形状に対応して取付ブロック８と、狭持ブロック１１との接合位置には菱形となる溝部８ａ，１１ａが形成されている。
【００２４】
ヒンジ軸１０は楕円形状の大径頭部を有しており、この頭部がヒンジ受け９に設けた長孔９ａ中間の段部上に載置されて、長孔９ａに沿って前後方向に摺動自在であり、ヘッドレストステーＳの太さに対応できる。また、ヒンジ軸１０の大径頭部は、狭持ブロック１１を取付ブロック８に対し直角外方に回動させて開いた時に、長孔９ａの下方に抜けて、狭持ブロック１１を取付ブロック８から分離させることができる。
【００２５】
そして、狭持ブロック１１のヒンジ軸１０を取付ブロック８のヒンジ受け９に嵌合した後、図２および図４（ａ）に示すように、前席のシートバックＳＢ上に配置されたヘッドレストＨＬを支持する一対のヘッドレストステーＳをやや持上げた状態で、両取付ブロック８の間隔を調整した上で、図４（ｂ）に矢印に示すように、狭持ブロック１１を回動し、次いで図４（ｃ）に示すように、固定具Ｂを狭持ブロック１１に挿通して取付ブロック８にねじ込めば、アーム取付台３はヘッドレストステーＳに固定される。
【００２６】
その後は、取付ブロック８の前部側の固定具Ｂを締付けることにより、水平アーム２は、ヘッドレストステーＳに直交して固定位置に位置決め固定されることになる。アーム取付台３をヘッドレストステーＳに取付た後は、ヘッドレストレストステーＳのシートバックＳＢへの突出量の再調整を行うことができる。
【００２７】
図３において、前記モニタ取付台６は、前記可動アーム４の先端、または水平アーム２の中央に嵌合固定されるモニタ取付ベース１２と、取付ベース１２の後部に一体化された取付台１４と、取付台１４の上部に一体化された筒部１５に抱持されたボールジョイント１６と、ボールジョイント１６の先端に一体化された取付軸１７と、取付軸１７の外周にねじ込まれ、かつ取付軸１７の先端に一体化されたフランジ１７ａとの間でモニタＭの背面に形成された取付部を狭持状態に固定するハンドルねじ１８、および筒部１５にねじ込まれたボールジョイント１６の固定用の蝶ねじ１９とを備えている。図４（ａ）に示すように、モニタＭを固定した状態でボールジョイント１６により、左右および上下方向に角度調整した後に蝶ねじ１９を締付けることにより、チルト式に所望の角度姿勢に固定できるようになっている。なお、モニタ設置ベース１２の詳細構造は後述する。
【００２８】
前記モニタＭを可動アーム４固定した後は、前記クランプブロック５に設けたクランプレバー５ａを押下げることにより、可動アーム４を適宜な突出位置に固定できるようになっており、クランプレバー５ａを上げてアンクランプ状態とすることで、図１および図６（ａ）に示すようにモニタＭの取付完了状態で、水平位置調節ができるようになっている。これにより、後部座席に２人〜複数人座っている場合には、各人の最も見やすくなる共通位置にモニタＭを配置することができる。
【００２９】
以上のモニタ取付装置１は、同一のモニタ取付台６を用いて図６（ｂ）に示すように、水平アーム２の中央にもモニタＭを固定できる。
【００３０】
すなわち、図７は、取付装置１を天地逆にし、モニタ取付台６の取付ベース１２の部分を分解して示すもので、取付ベース１２は、可動アーム４の外径に等しい凹溝を形成した取付ベース本体１２ａと、ベース本体１２ａの凹溝内に嵌合されて、可動アーム４の外径に嵌合されるとともに、端部キャップを兼用した合成樹脂製の第１のスペーサ２０と、可動アーム４の底面に設置される鋼板材からなる第２のスペーサ２１と、第２のスペーサ２の底面に配置される底板２２と、底板２２、第２のスペーサ２１、および可動アーム４の端部に開口されたビス孔を貫通して、ベース本体１２ａの内面にねじ込み固定することで、前記のごとくモニタ取付台６を可動アーム４の先端に固定できる。
【００３１】
これに対して、前記水平アーム２の長手方向ほぼ中央部には各図、特に図８に具体的に示すように、前記固定具Ｂの配置間隔に応じた一対の長孔よりなる孔２３が上下貫通して開口されている。
【００３２】
また、可動アーム４のほぼ中央にも、図示しないが一対のビス孔が形成されており、図８のごとく、可動アーム４を最大限水平アーム２に没入させた状態で、長孔２３に一致するようになっている。
【００３３】
従って、モニタ取付台６を水平アーム２の中央に固定するには、前記第１、第２のスペーサ２０，２１を取去った上で、ベース本体１２ａを水平アーム４に嵌合し、底板２２を水平アーム２の底面に位置させ、次いで、前記ビス固定具Ｂを底板２２、水平アーム２並びに可動アーム４に開口された各孔を通じてベース本体１２ａの底面にねじ込み固定し、さらに前述するエンドキャップ２３を可動アームの先端開口に嵌め付ければ、図６（ｂ）に示すように、ヘッドレストＨＬの後部中央にモニタＭを固定することができる。
【００３４】
従って、このような使用例では、前部座席の運転席側、あるいは助手席の後部に位置する座席に座る１人用のモニタとして好適であり、特にチャイルドシートなどに長時間拘束される幼児などがテレビ画面を鑑賞する上で好適な位置となる。また、この使用状態では可動アーム４が水平アーム２内に格納でき、紛失なども未然に防止できる。
【図面の簡単な説明】
【００３５】
【図１】本考案に係るモニタ取付装置の端部にモニタを取付けた状態でシートバック背面に配置した状態を示す斜視図である。
【図２】同モニタ取付装置をヘッドレストステーに取付けている状態を示す前面側から見た斜視図である。
【図３】同モニタ取付装置単体の全体構成を示す斜視図である。
【図４】（ａ）〜（ｃ）は同モニタ取付装置のヘッドレストステーに対する取付手順を示す平面図である。
【図５】アーム取付台の詳細構成を示す部分斜視図である。
【図６】（ａ），（ｂ）はモニタ取付台を可動アームの端部に配置した状態でモニタを固定した状態と、水平アーム中央に配置した場合を示す平面図である。
【図７】モニタ取付台を可動アームの端部に配置する場合におけるモニタ取付台を分解して示す斜視図である。
【図８】モニタ取付台を水平アームの中央に配置する場合におけるモニタ取付台を分解して示す斜視図である。
【符号の説明】
【００３６】
１  モニタ取付装置
２  水平アーム
２ａ  孔
３  アーム取付台
４  可動アーム
６  モニタ取付台
８  取付ブロック
９  ヒンジ受け
１０  ヒンジ
１１  狭持ブロック
１２  取付ベース
１２ａ  取付ベース本体
２０，２１  第１、第２のスペーサ
２２  底板
Ｂ  固定具
【図１】
0003128621.tif 000003
【図２】
0003128621.tif 000004
【図３】
0003128621.tif 000005
【図４】
0003128621.tif 000006
【図５】
0003128621.tif 000007
【図６】
0003128621.tif 000008
【図７】
0003128621.tif 000009
【図８】
0003128621.tif 000010